(57)【要約】【課題】右打ち通路内で跳ね返った遊技球が透明板に直接当たることを確実に阻止する。【解決手段】右打ち通路１７と透明板６１との間に、勢い減殺通路１７１及び導入通路１７２の少なくとも一部を連続して前側から閉塞するように装飾枠部材１８から起立する透明保護板２８を設ける。透明保護板２８は、勢い減殺通路１７１を前側から閉塞する勢い減殺通路閉塞部２８２と、導入通路１７２の少なくとも一部を前側から閉塞する上流閉塞部２８１とを形成し、上流閉塞部２８１の上流側を向く端縁を、右打ち通路１７の下流に行くにしたがって、装飾枠部材１８から外側ガイド面１４に漸近するように上向き円弧状の円弧縁２８１ａとする。【選択図】図４
2015204858.tif 000002
【特許請求の範囲】
【請求項１】
外側ガイド面により略円形の遊技領域が区画形成された遊技盤と、
前記遊技領域に設けられ、遊技に係る演出を表示するための表示装置と、
前記表示装置を囲うように前記遊技領域に設けられる装飾枠部材と、
前記遊技領域を前側から視認可能に覆う透明板と、を備え、
前記装飾枠部材の上部にあって、上向き円弧状の周壁と当該周壁に対向する前記外側ガイド面との間に、遊技球が通過可能な右打ち通路を形成し、
前記遊技領域の左領域にあって、前記外側ガイド面と当該外側ガイド面に対向する内側ガイドレールとの間に形成された発射通路を通過した遊技球が前記遊技領域内に打ち出されるようにした遊技機において、
前記右打ち通路は、前記右打ち通路を移動する遊技球が衝突することにより遊技球の勢いを減殺する緩衝部材を設けた勢い減殺通路と、
前記勢い減殺通路よりも遊技球の流れの上流側にあって、右打ちされた遊技球を導入可能な導入通路と、
前記勢い減殺通路よりも遊技球の流れの下流側にあって、前記勢い減殺通路を通過した遊技球を前記遊技領域の右領域へ導出可能な導出通路とを有し、
前記右打ち通路と前記透明板との間に、前記勢い減殺通路及び前記導入通路の少なくとも一部を連続して前側から閉塞するように前記装飾枠部材から起立する透明保護板を設け、
前記透明保護板は、前記勢い減殺通路を前側から閉塞する勢い減殺通路閉塞部と、前記導入通路の少なくとも一部を前側から閉塞する上流閉塞部とを形成し、前記上流閉塞部の上流側を向く端縁を、前記右打ち通路の下流に行くにしたがって、前記装飾枠部材から前記外側ガイド面に漸近するように上向き円弧状の円弧縁としたことを特徴とする遊技機。
【請求項２】
前記透明保護板は、さらに、前記勢い減殺通路閉塞部に連続して形成され、前記導出通路の少なくとも一部を前側から閉塞する下流閉塞部を形成することを特徴とする請求項１記載の遊技機。
【請求項３】
前記上流閉塞部の円弧縁には、上方から下方にかけて前記上流閉塞部の前後方向の厚さを厚くするテーパー面が形成されていることを特徴とする請求項１または２記載のパチンコ機。
【発明の詳細な説明】
【技術分野】
【０００１】
本発明は、遊技盤に右打ち通路を設けた遊技機に関する。
【背景技術】
【０００２】
遊技機（パチンコ機）においては、遊技盤の前面に外側ガイドレール及び内側ガイドレールによって区画形成されたほぼ円形の遊技領域を形成し、遊技領域の前面は、ガラス板等の透明板により覆われている。遊技状態が通常遊技状態においては、発射装置から発射された遊技球は、外側ガイドレールと内側ガイドレールとの間に形成される発射通路を経て遊技領域の左領域に導出され、また、遊技状態が特別遊技状態に変化した場合には、発射ハンドルの操作を最大強さにして、発射装置から発射される遊技球を右打ちとして、遊技領域の上部に設けた上向き円弧状の右打ち通路を通って遊技領域の右領域に導出させるようにしているものがある。
【０００３】
例えば、特許文献１に記載の遊技機は、右打ち通路にゴム等で形成される緩衝部材を設け、右打ち通路に進入して右方へ移動した遊技球を緩衝部材に衝突させることにより、遊技球の勢いを減殺した状態で遊技領域の右領域に導出させるようにしている。
【０００４】
また、特許文献２に記載の遊技機は、右打ち通路と透明板との間に防護板を設けることによって、右打ち通路を移動する遊技球が防護板に接触可能とすることで透明板に直接当たるのを防止している。
【先行技術文献】
【特許文献】
【０００５】
【特許文献１】特開２０１２−１６１４７６号公報
【特許文献２】特開２０１２−８５８１０号公報
【発明の概要】
【発明が解決しようとする課題】
【０００６】
しかし、特許文献１、２に記載の遊技機においては、右打ちされた遊技球が右打ち通路に進入したときの勢いのままで緩衝部材に勢いよく衝突し、かつそのときの右打ち通路内の面の状況、遊技球の勢い及び軌道の変化によって、遊技球の跳ね返り方向が一定でないため、遊技球が透明板に直接当たらないようにすることは極めて困難である。
【０００７】
本発明は、かかる課題に鑑みなされたものであり、右打ち通路内で跳ね返った遊技球が透明板に直接当たることを確実に阻止し得るようにした遊技機を提供することを目的とする。
【課題を解決するための手段】
【０００８】
上記課題を解決するため、第１の発明は、外側ガイド面１４により略円形の遊技領域４１が区画形成された遊技盤４と、前記遊技領域４１に設けられ、遊技に係る演出を表示するための表示装置１２と、前記表示装置１２を囲うように前記遊技領域４１に設けられる装飾枠部材１８と、前記遊技領域４１を前側から視認可能に覆うガラス板等により形成される透明板６１と、を備え、前記装飾枠部材１８の上部にあって、上向き円弧状の周壁１８１と当該周壁１８１に対向する前記外側ガイド面１４との間に、遊技球Ｂが通過可能な右打ち通路１７を形成し、前記遊技領域４１の左領域にあって、前記外側ガイド面１４と当該外側ガイド面１４に対向する内側ガイドレール１３との間に形成された発射通路１６を通過した遊技球Ｂが前記遊技領域４１内に打ち出されるようにした遊技機において、前記右打ち通路１７は、前記右打ち通路１７を移動する遊技球Ｂが衝突することにより遊技球Ｂの勢いを減殺する緩衝部材２６を設けた勢い減殺通路１７１と、前記勢い減殺通路１７１よりも遊技球Ｂの流れの上流側にあって、右打ちされた遊技球Ｂを導入可能な導入通路１７２と、前記勢い減殺通路１７１よりも遊技球Ｂの流れの下流側にあって、前記勢い減殺通路１７１を通過した遊技球Ｂを前記遊技領域４１の右領域４１１へ導出可能な導出通路１７３とを有し、前記右打ち通路１７と前記透明板６１との間に、前記勢い減殺通路１７１及び前記導入通路１７２の少なくとも一部を連続して前側から閉塞するように前記装飾枠部材１８１から起立する透明保護板２８を設け、前記透明保護板２８は、前記勢い減殺通路１７１を前側から閉塞する勢い減殺通路閉塞部２８２と、前記導入通路１７２の少なくとも一部を前側から閉塞する上流閉塞部２８１とを形成し、前記上流閉塞部２８１の上流側を向く端縁を、前記右打ち通路１７の下流に行くにしたがって、前記装飾枠部材１８から前記外側ガイド面１４に漸近するように上向き円弧状の円弧縁２８１ｂとしたことを特徴とする。これにより、勢い減殺通路１７１の緩衝部材２６に当たって跳ね返った遊技球Ｂは、透明保護板２８の勢い減殺通路閉塞部２８２及び上流閉塞部２８１により透明板６１に直接当たることを阻止される。さらには、右打ち通路１７の導入通路１７２に導入された遊技球Ｂは、上流閉塞部２８１の円弧縁２８１ａに接触することで、移動速度が減速されて、緩衝部材２６に当たったときの跳ね返り量が緩和されるため、遊技球Ｂが透明保護板２８に衝突したときの衝撃を弱めることができ、透明保護板２８の耐久性向上を図ることができる。
【０００９】
第２の発明は、第１の発明において、前記透明保護板２８は、さらに、前記勢い減殺通路閉塞部２８２に連続して形成され、前記導出通路１７３の少なくとも一部を前側から閉塞する下流閉塞部２８３を有することを特徴とする。これにより、緩衝部材２６に当たった遊技球Ｂが導出通路１７３側へ跳ね返ったとしても、下流閉塞部２８３により透明板６１に直接当たることを阻止できる。
【００１０】
第３の発明は、第１又は第２の発明において、前記上流閉塞部２８１の円弧縁２８１ａには、上方から下方にかけて前記上流閉塞部２８１の前後方向の厚さを厚くするテーパー面２８１ｂが形成されていることを特徴とする。これにより、導入通路１７２に導入された遊技球Ｂを円弧縁２８１ａに円滑に接触させることができる。
【発明の効果】
【００１１】
本発明によれば、右打ち通路の勢い減殺通路で跳ね返った遊技球が透明板への直接当たることを阻止できる。さらに、勢い減殺通路に達する前に、上流閉塞部の円弧縁で遊技球の移動速度を減速させることが可能であるため、遊技球の跳ね返りを弱めて透明保護板に当たる際の衝撃を緩和することが可能となり、透明保護板の耐久性向上を図ることができる。
【図面の簡単な説明】
【００１２】
【図１】本発明に係る遊技機の斜視図である。
【図２】同じく遊技盤の正面図である。
【図３】同じく遊技盤の要部の斜視図である。
【図４】同じく遊技盤の要部の正面図である。
【図５】同じく遊技盤の要部の拡大斜視図である。
【図６】図５におけるＶＩ−ＶＩ線横断面拡大図である。
【発明を実施するための形態】
【００１３】
以下、本発明を実施するための一実施形態を添付図面を参照しながら詳述する。なお、以下の実施形態は本出願の特許請求の範囲に係る発明を限定するものではなく、実施形態の中で説明される特徴の組み合わせの全てが発明の解決手段に必須であるとは限らない。
【００１４】
以下の説明において遊技機１の各部の左右方向は、その遊技機１の正面に対面する者にとっての左右方向に合わせて説明する。
【００１５】
図１に示すように、遊技機１は、遊技場の島設備に設置される矩形枠状の外枠２と、当該外枠２の左枠部に図示略の蝶番により垂直軸回りに開閉自在に取り付けられる内枠３と、当該内枠３に装着され、各種要素が組み付けられる図２に示す遊技盤４と、当該遊技盤４の前側にあって、内枠３の左枠部に上下の蝶番５、５により垂直軸回りに開閉自在に取り付けられ、遊技盤４の前面を遊技者が透視し得るガラス又は透明合成樹脂製の透明板６１を嵌め込んだガラス扉６と、遊技盤４の後側に設けられ賞球や貸球等の遊技球Ｂを払出可能な図示略の払出装置と、ガラス扉６の下部に設けられ、払出装置から払い出される遊技球Ｂを貯留するための上受皿７と、ガラス扉６の下部裏側に設けられ上受皿７に貯留されている遊技球Ｂを導入して遊技盤４の前面に形成される後述の遊技領域４１へ向けて発射するための図示略の発射装置と、上受皿７に遊技球Ｂが満杯になった際、溢れ球を導入可能な下受皿８と、ガラス扉６の前面右下部に設けられ上受皿７に貯留された遊技球Ｂを遊技領域４１へ打ち出す際に操作される発射ハンドル９と、ガラス扉６の上部に設けられ遊技状況に応じた効果音を出力するスピーカ１０Ｌ、１０Ｒと、ガラス扉６に設けられ遊技状況に応じて点灯及び点滅する照明演出を行う電飾装置１１と、遊技盤４の後側に設置される表示装置１２（図２に点線で表示）と、遊技盤１の裏側に設置され、遊技進行及び遊技演出を制御するためのマイクロコンピュータにより構成される図示略の制御装置等を備える。
【００１６】
図２に示す表示装置１２は、遊技盤４の後側に設置され、例えば液晶ディスプレイから構成されることで、遊技機１の前側から、ガラス扉６の透明板６１を透して遊技者が視認可能な表示画面１２１に遊技に係わる情報である各種キャラクタや左列、中列、右列の３列の数字等で構成される図示略の演出図柄を変動、停止表示すると共に、そのときの遊技進行に応じた動画を表示することによって遊技の盛り上げ演出を行う。
【００１７】
図２に示すように、遊技盤４は、アクリル樹脂等の透明な合成樹脂板により正面視ほぼ方形に形成されて、若干前傾姿勢で設置されると共に、前面には、内側ガイドレール１３及び外側ガイド面１４によって区画形成される略円形の遊技領域４１が形成される。なお、外側ガイド面１４は、遊技盤４の前面にあって、遊技領域４１外に固定される合成樹脂製の枠板１５の内側面によってほぼ円形に形成される。
【００１８】
遊技領域４１のほぼ中央部には、表示画面１２１の周辺を囲んで装飾するように遊技領域４１に固定される正面視で枠状の合成樹脂製の装飾枠部材１８が固定される。
【００１９】
遊技領域４１の左部には、発射装置から発射された遊技球Ｂを導入して遊技領域４１に導出させるための発射通路１６が形成される。発射通路１６は、遊技領域４１の左部にあって、遊技盤４の前面左部に固定される弓形の内側ガイドレール１３と当該内側ガイドール１３に対向する外側ガイド面１４の左部１４１との間に形成される。
【００２０】
遊技領域４１の上部には、発射通路１６から導出された遊技球Ｂを導入し遊技領域４１の右領域４１１に導くための前側が開口する上向き円弧状の右打ち通路１７が形成される。右打ち通路１７は、外側ガイド面１４と、装飾枠部材１８の上部の周壁を形成する内側ガイド面１８１との間に遊技球Ｂ１個分が通過可能に形成される。
【００２１】
さらに、遊技領域４１には、発射通路１６から遊技領域４１に打ち込まれた遊技球Ｂの流下方向を変化させる図示略の多数の釘及び風車１９と、表示画面１２１の下方にあって、遊技領域４１の左領域４１２を流下する遊技球Ｂのうち装飾部材１８の左側部に設けたワープ入口１８２に進入したワープ球（遊技球）を導入し、当該ワープ球を左右及び前後方向へ転動させる演出を行わせるステージ２０と、当該ステージ２０の下方にあって、遊技領域４１を流下する遊技球Ｂ及びステージ２０の前側から落下したワープ球が入賞可能な始動入賞口２１と、遊技領域４１の右領域４１１にあって、遊技球Ｂが通過可能なスルーチャッカ２２と、所定の抽選結果に基づいて遊技状態が通常の遊技から遊技者にとって有利な特別遊技状態に移行した際、右打ちされた遊技球Ｂが入賞口に入賞不能な閉鎖状態から入賞口に入賞可能な開放状態に変化可能なアタッカー２３と、抽選結果に基づいてアタッカー２３の作動終了後の遊技状態が特定遊技状態（例えば、確率変動）に移行した場合、右打ち遊技球Ｂが入賞不能な閉鎖状態から入賞可能な開放状態に変化可能な電チュー２４と、遊技領域４１に打ち込まれた遊技球のうち入賞しなかったアウト球を遊技盤４の裏面側に排出するアウト口２５とが設けられる。
【００２２】
なお、本明細書で使用する「特別遊技状態」とは、所定の抽選結果に基づいて、表示画面１２１に左、中、右列に同一の図柄が揃って大当りとなることによりアタッカー２０を所定期間作動させる遊技状態である。「確率変動」とは、通常遊技よりも当選確率が高くなる高確率状態（例えば、「通常遊技」では大当たり確率１／３５０、「確率変動」では大当り確率１／６０）となると共に、表示画面１２１に表示される演出図柄の可変表示時間が通常遊技の遊技より短くなる遊技状態である。
【００２３】
始動入賞口２１及び電チュー２４に遊技球Ｂが入賞した際の検出信号は、制御装置に送信される。制御装置は、検出信号に基づいて内部で発生させた乱数の取得に応じて、大当り、確率変動、外れ等の抽選を行うと共に、所定の確率で実行される変動パターンの選択に基づいて表示装置１２の表示画面１２１に表示される演出図柄の変動表示を制御する。
【００２４】
右打ち通路１７は、前述のように、外側ガイド面１４と装飾枠部材１８の内側ガイド面１８１との間に上向き凸状の円弧状に形成されると共に、遊技球Ｂの流れ方向のほぼ中間点に、遊技球Ｂの流れ方向の上流側から下流側へ向けて移動する右打ち遊技球Ｂの勢いを減殺するための下向きの勢い減殺通路１７１を形成し、勢い減殺通路１７１よりも左側、すなわち上流側に、右打ち遊技球Ｂを導入するための導入通路１７２を形成し、また同じく勢い減殺通路１７１よりも下側、すなわち下流側に、右打ち遊技球Ｂを遊技領域４１の右領域４１１に導出させるための導出通路１７３を形成する。
なお、図４においては、右打ち通路１７における勢い減殺通路１７１、導入通路１７２及び導出通路１７３のそれぞれの範囲を理解できるように、符号１７１、１７２、１７３を記載している。
【００２５】
勢い減殺通路１７１の外側ガイド面１４には、導入通路１７２を通過した右打ち遊技球Ｂを受けるためのゴム等により形成される緩衝部材２６が設置される。
【００２６】
特に、図６に明示されるように、右打ち通路１７と当該右打ち通路１７の前側にある透明板６１の裏面との間には、右打ち遊技球Ｂが右打ち通路１７を通過する際、右打ち遊技球Ｂが透明板６１の裏面に接触するのを阻止するための合成樹脂製の透明保護板２８が設けられる。透明保護板２８は、右打ち通路１７を通過する遊技球Ｂを遊技機１の前側から透視可能とすると共に、装飾枠部材１８における内側ガイド面１８１の前部から起立するように、装飾枠部材１８と一体的に成形されるか、または、装飾枠部材１８に固定されることによって、右打ち通路１７の奥面１７ａに対して所定の間隔（遊技球Ｂ１個分の直径よりも僅かに大きい間隔）をもって対向し得るように設けられる。
【００２７】
透明保護板２８は、導入通路１７２のほぼ右半分の領域（又は全領域）、勢い減殺通路１７１及び導出通路１７３のほぼ上半分の領域（又は全領域）を連続して前側から閉塞する上流閉塞部２８１、勢い減殺通路閉塞部２８２及び下流閉塞部２８３とを連続形成する。
【００２８】
導入通路１７２を前側から閉塞する上流閉塞部２８１は、装飾枠部材１８における内側ガイド面１８１の前部から起立すると共に、上流側（左側）を向く端縁には、特に図５に明示されるように、左側から右側、すなわち右打ち通路１７の上流側から下流側に行くにしたがって高さが漸増して外側ガイド面１４に漸近するような上向き円弧状の円弧縁２８１ａが形成される。円弧縁２８１ａには、特に図６に明示されるように、右打ち通路１７の奥面１７ａに対向し、かつ上方から下方にかけて上流閉塞部２８１の前後方向の厚さを厚くするテーパー面２８１ｂが形成される。なお、円弧縁２８１ａは、下流側に向く角度αが３０度以下の鋭角になるように形成するのが好ましい。
【００２９】
遊技領域４１に打ち出された遊技球Ｂのうち、勢いよく打ち出された遊技球Ｂは、図２、４に矢印で示されるように、外側ガイド面１４に接触しつつ右打ち通路１７の導入通路１７２に導入される。導入通路１７２に導入された遊技球Ｂは、遊技盤４が僅かに前傾姿勢で設置されている関係上、勢い減殺通路１７１に達する前に、図６に示すように、前側に偏倚して透明保護板２８における上流閉塞部２８１の円弧縁２８１ａに接触する場合がある。この場合には、図５に示すように、導入通路１７２に導入された遊技球Ｂは、外側ガイド面１４と円弧縁２８１ａ（外側ガイド面１４の円弧方向Ｄ１と平行でない円弧方向Ｄ２を向く縁）に接触しつつ下流側へ移動することから、遊技球Ｂの移動速度が減速される。したがって、導入通路１７２に導入された遊技球Ｂは、その勢いが勢い減殺通路１７１に達する前に漸減されることとなる。
【００３０】
勢い減殺通路１７１は、導入通路１７２の右端から下方へ所定量延伸する通路であって、導入通路１７２を通過した遊技球Ｂを緩衝部材２６に衝突させることで、遊技球Ｂの勢いを減殺する。
【００３１】
導出通路１７３は、勢い減殺通路１７１を通過した遊技球Ｂの流下速度をさらに減速させるように、外側ガイド面１４及び内側ガイド面１８１に凹凸部１７３ａを千鳥状に形成している。
【００３２】
次に、遊技要領及び遊技球Ｂの流れについて説明する。
遊技状態が通常遊技の場合には、上受皿７に貯留されている遊技球Ｂを遊技領域４１の左領域４１２に流下させるように、発射ハンドル９の回転操作により発射装置の発射力を調節する。
【００３３】
発射装置により発射された遊技球Ｂは、発射通路１６により上方へ導かれ、発射通路１６の上端から遊技領域４１の左領域４１２に導出される。
【００３４】
遊技領域４１の左領域４１２に導出された遊技球Ｂが装飾枠部材１８の左側を流下して始動入賞口２１に入賞した場合には、これを契機に、遊技盤４の裏側に配置された図示略の制御装置により実行される抽選の結果、所定の変動パターンに基づいて、表示画面１２１に表示される演出図柄が所定時間演出態様で表示演出を行った後、演出図柄が予め定めた特定の表示態様で確定表示した場合には、遊技状態を特別遊技状態に移行させ、アタッカー２３を開放状態に変化させる。
【００３５】
遊技状態が特別遊技状態に移行した場合には、遊技球Ｂを右打ちとなるように、発射ハンドル９を回転操作して発射装置の発射力が最大力となるように調整する。
【００３６】
右打ちされた遊技球Ｂは、発射通路１６から右打ち通路１７の導入通路１７２に導入される。導入通路１７２に導入した遊技球Ｂのうち、導入通路１７内で前側（透明保護板２８の裏面側）に偏倚した状態の遊技球Ｂは、外側ガイド面１４と透明保護板２８における上流閉塞部２８１の円弧縁２８１ａに接触しつつ下流側へ移動することからその移動速度が減速される。
なお、上流閉塞部２８１の円弧縁２８１ａには、テーパー面２８１ｂが形成されているため、導入通路１７２に導入された遊技球Ｂは、上流閉塞部２８１の円弧縁２８１ａに円滑に接触することができる。
【００３７】
導入通路１７２を通過した遊技球Ｂは、図５に示すように、勢い減殺通路１７１に設けた緩衝部材２６の当り面２６ａに衝突することにより勢いが減殺される。この場合には、遊技球Ｂが緩衝部材２６の当り面２６ａに衝突する際の勢いが、導入通路１７２を通過するときに予め減速されているため、従来技術に比して、弱まっている。
したがって、緩衝部材２６の当り面２６ａに対する遊技球Ｂの当り角度、当り面２６ａの状態によっては、遊技球Ｂが上流側、前方または下流側へ跳ね返る場合もあるが、本実施形態においては、勢い減殺通路１７１、導入通路１７２及び導出通路１７３の前側が透明保護板２８の勢い減殺通路閉塞部２８２、上流閉塞部２８１及び下流閉塞部２８３によりそれぞれ閉塞されているため、緩衝部材２７の当り面２６ａに衝突して跳ね返った遊技球Ｂは、透明保護板２８のいずれかの箇所に当たるものの透明板６１に直接当たることはない。また、遊技球Ｂが透明保護板２８に衝突する際の勢いは、従来技術に比して、緩和されているため、長期に亘って、透明保護板２８に作用する繰り返し衝撃による破損を防止して、遊技球Ｂの跳ね返りを受けることが可能となる。
【００３８】
勢い減殺通路１７１を通過した遊技球Ｂは、導出通路１７３の凹凸部１７３ａによりさらに減速されて遊技領域４１の右領域４１１に導出される。遊技領域４１の右領域４１１に導出された遊技球Ｂは、スルーチャッカ１５を通過したり、アタッカー２３（特定遊技状態に移行した場合には電チュー２４）に入賞したりする。遊技球Ｂがアタッカー２３に入賞した場合には、払出装置から所定数の賞球が上受皿７に払い出される。
【符号の説明】
【００３９】
１  遊技機                        ２  機枠
３  内枠                          ４  遊技盤
４１  遊技領域                    ４１１  右領域
４１２  左領域                    ５  蝶番
６  ガラス扉                      ６１  透明板
７  上受皿                        ８  下受皿
９  発射ハンドル                  １０Ｌ、１０Ｒ  スピーカ
１１  電飾装置                    １２  表示装置
１２１  表示画面                  １３  内側ガイドレール
１４  外側ガイド面                １４１  左部
１５  枠板                        １６  発射通路
１７  右打ち通路                  １７ａ  奥面
１７１  勢い減殺通路              １７２  導入通路
１７３  導出通路                  １７３ａ  凹凸部
１８  装飾枠部材                  １８１  内側ガイド面（周壁）
１８２  ワープ入口                １９  風車
２０  ステージ                    ２１  始動入賞口
２２  スルーチャッカ              ２３  アタッカー
２４  電チュー                    ２５  アウト口
２６  緩衝部材                    ２６ａ  当り面
２８  透明保護板                  ２８１  上流閉塞部
２８１ａ  円弧縁                  ２８１ｂ  テーパー面
２８２  勢い減殺通路閉塞部        ２８３  下流閉塞部
【図１】
2015204858.tif 000003
【図２】
2015204858.tif 000004
【図３】
2015204858.tif 000005
【図４】
2015204858.tif 000006
【図５】
2015204858.tif 000007
【図６】
2015204858.tif 000008